(57)【要約】      （修正有）【課題】ラベルの裏面に粘着層を有する記録紙にサーマルヘッドで歪みのない印字を行う印刷装置を提供する。【解決手段】ラベルプリンタ１は、ラベルの裏面に粘着層を有するラベル紙２に印字を行う装置であり、エンジン部１０とコントローラ部２０を備えている。エンジン部１０は、プラテンローラ１１と、プラテンローラ１１を回転させるモータ１２と、プラテンローラ１１により搬送されたラベル紙２を加熱することによりラベル紙２に印字データに応じた印字を行うサーマルヘッド１５と、搬送方向Ｆに対して一定の間隔で記録媒体に設けられたマークが搬送経路上の所定位置を通過したことを検出する検出器１８を有する。コントローラ部２０は、所定期間内に検出器１８で検出したマークの数に基づいて印字データの送出タイミングを決定し、決定した送出タイミングで印字データをエンジン部１０へ送出する。【選択図】図１
2015044331.tif 000002
【特許請求の範囲】
【請求項１】
ラベルの裏面に粘着層を有する記録媒体に印字を行う印刷装置であって、
前記記録媒体を搬送するプラテンローラと、
前記プラテンローラを回転させる駆動部と、
前記プラテンローラにより搬送された前記記録媒体を加熱することにより前記記録媒体に印字データに応じた印字を行うサーマルヘッドと、
前記記録媒体の搬送方向に対して一定の間隔で前記記録媒体に設けられたマークが搬送経路上の所定の位置を通過したことを検出するマーク検出手段と、を有するエンジン部と、
所定期間内に前記マーク検出手段で検出した前記マークの数に基づいて、前記エンジン部への前記印字データの送出タイミングを決定し、決定した前記送出タイミングで前記印字データを前記エンジン部へ送出するコントローラ部と、を備える
ことを特徴とする印刷装置。
【請求項２】
請求項１に記載の印刷装置において、
前記エンジン部は、さらに、前記駆動部の回転数を検出する回転数検出手段を有し、
前記コントローラ部は、前記回転数検出手段で検出した回転数が所定の回転数となる期間を前記所定期間とし、該所定期間内に前記マーク検出手段で検出した前記マークの数との比較結果に基づいて、前記エンジン部への前記印字データの送出タイミングを決定する
ことを特徴とする印刷装置。
【請求項３】
請求項２に記載の印刷装置において、
前記コントローラ部は、前記所定期間内に前記回転数検出手段で検出した回転数に対する前記所定期間内に前記マーク検出手段で検出した前記マークの数の比率が正規の比率よりも小さいとき、前記エンジン部への前記印字データの送出タイミングを、前記回転数に対応して予め設定されている送出タイミングよりも遅延したタイミングに決定する
ことを特徴とする印刷装置。
【請求項４】
請求項１乃至請求項３のいずれか１項に記載の印刷装置において、
前記プラテンローラは、前記粘着層が該プラテンローラに接触した状態で、前記記録媒体を搬送する
ことを特徴とする印刷装置。
【請求項５】
請求項１乃至請求項４のいずれか１項に記載の印刷装置において、
前記印刷装置は、前記粘着層を保護する剥離紙を有しない前記粘着層が露出した前記記録媒体に印字を行う
ことを特徴とする印刷装置。
【請求項６】
ラベルの裏面に粘着層を有する記録媒体に印字を行う、プラテンローラとサーマルヘッドを有するエンジン部を備える印刷装置による前記記録媒体への印字方法であって、
前記プラテンローラによって搬送される前記記録媒体の搬送方向に対して一定の間隔で前記記録媒体に設けられたマークが搬送経路上の所定の位置を通過したことを検出し、
所定期間内に検出した前記マークの数に基づいて、印字データに応じた印字を行う前記サーマルヘッドを有する前記エンジン部への前記印字データの送出タイミングを決定して、決定した前記送出タイミングで前記印字データを前記エンジン部へ送出する
ことを特徴とする印字方法。
【請求項７】
ラベルの裏面に粘着層を有する記録媒体に印字を行う、プラテンローラとサーマルヘッドを有するエンジン部を備える印刷装置に前記記録媒体への印字を行わせるためのプログラムであって、
前記エンジン部に、前記プラテンローラによって搬送される前記記録媒体の搬送方向に対して一定の間隔で前記記録媒体に設けられたマークが搬送経路上の所定の位置を通過したことを検出させ、
所定期間内に前記エンジン部で検出した前記マークの数に基づいて、印字データに応じた印字を行う前記サーマルヘッドを有する前記エンジン部への前記印字データの送出タイミングを決定して、決定した前記送出タイミングで前記印字データを前記エンジン部へ送出する
処理をコンピュータに実行させることを特徴とするプログラム。
【発明の詳細な説明】
【技術分野】
【０００１】
本発明は、ラベルの裏面に粘着層を有する記録媒体である記録紙に文字等を印字する、サーマルヘッドを備えたラベル印刷装置に関する。
【背景技術】
【０００２】
ラベルプリンタは、ラベルの裏面に粘着層を有する記録紙（以降、ラベル紙と記す）に印字を行うプリンタであり、現在、様々な用途において広く利用されている。ラベルプリンタに用いられるラベル紙は、粘着層が剥離紙（離型紙、セパレータともいう）によって保護されているタイプと粘着層が露出しているタイプとに大別される。粘着層が露出したタイプのラベル紙の印字に用いられるラベルプリンタは、例えば、特許文献１に開示されている。
【０００３】
ラベルプリンタにはさまざまな種類が存在するが、その一つとして、特許文献１に開示されているような、プラテンローラで搬送されたラベル紙にサーマルヘッドを押し付けることによって文字等を印字するサーマルプリンタが知られている。
【先行技術文献】
【特許文献】
【０００４】
【特許文献１】特開２００９−１６６４１１号公報
【発明の概要】
【発明が解決しようとする課題】
【０００５】
ところで、ラベルプリンタでは、プラテンローラの回転数からラベル紙の搬送量が算出可能であるとの前提に基づいて、プラテンローラの回転数に対してプリンタエンジンへの印字データの送出タイミングが決定されているのが通常である。
【０００６】
しかしながら、実際には、ラベル紙の搬送量は、様々な要因により、プラテンローラの回転数から算出される搬送量（以降、搬送予定量と記す）とは一致しないことがある。特に、サーマルプリンタとして構成されたラベルプリンタでは、熱の影響を受けて実際の搬送量が搬送予定量と大きく乖離することがある。このような場合に、プラテンローラの回転数（つまり、搬送予定量）に基づいて印字データの送出タイミングを決定してしまうと、ラベル紙に印字された印字結果（文字や図形など）が歪んでしまう。
【０００７】
以上のような実情を踏まえ、本発明は、ラベルの裏面に粘着層を有する記録紙（記録媒体）にサーマルヘッドで歪みのない印字を行う技術を提供することを目的とする。
【課題を解決するための手段】
【０００８】
本発明の一態様は、ラベルの裏面に粘着層を有する記録媒体に印字を行う印刷装置であって、前記記録媒体を搬送するプラテンローラと、前記プラテンローラを回転させる駆動部と、前記プラテンローラにより搬送された前記記録媒体を加熱することにより前記記録媒体に印字データに応じた印字を行うサーマルヘッドと、前記記録媒体の搬送方向に対して一定の間隔で前記記録媒体に設けられたマークが搬送経路上の所定の位置を通過したことを検出するマーク検出手段と、を有するエンジン部と、所定期間内に前記マーク検出手段で検出した前記マークの数に基づいて、前記エンジン部への前記印字データの送出タイミングを決定し、決定した前記送出タイミングで前記印字データを前記エンジン部へ送出するコントローラ部と、を備える印刷装置を提供する。
【０００９】
上記の印刷装置において、前記エンジン部は、さらに、前記駆動部の回転数を検出する回転数検出手段を有してもよく、前記コントローラ部は、前記回転数検出手段で検出した回転数が所定の回転数となる期間を前記所定期間とし、該所定期間内に前記マーク検出手段で検出した前記マークの数との比較結果に基づいて、前記エンジン部への前記印字データの送出タイミングを決定してもよい。
【００１０】
また、上記の印刷装置において、前記コントローラ部は、前記所定期間内に前記回転数検出手段で検出した回転数に対する前記所定期間内に前記マーク検出手段で検出した前記マークの数の比率が正規の比率よりも小さいとき、前記エンジン部への前記印字データの送出タイミングを、前記回転数に対応して予め設定されている送出タイミングよりも遅延したタイミングに決定してもよい。
【００１１】
さらに、上記の印刷装置において、前記プラテンローラは、前記粘着層が該プラテンローラに接触した状態で、前記記録媒体を搬送してもよい。
さらに、上記の印刷装置は、前記粘着層を保護する剥離紙を有しない前記粘着層が露出した前記記録媒体に印字を行ってもよい。
【００１２】
本発明の別の態様は、ラベルの裏面に粘着層を有する記録媒体に印字を行う、プラテンローラとサーマルヘッドを有するエンジン部を備える印刷装置による前記記録媒体への印字方法であって、前記プラテンローラによって搬送される前記記録媒体の搬送方向に対して一定の間隔で前記記録媒体に設けられたマークが搬送経路上の所定の位置を通過したことを検出し、所定期間内に検出した前記マークの数に基づいて、印字データに応じた印字を行う前記サーマルヘッドを有する前記エンジン部への前記印字データの送出タイミングを決定して、決定した前記送出タイミングで前記印字データを前記エンジン部へ送出する印字方法を提供する。
【００１３】
本発明のさらに別の態様は、ラベルの裏面に粘着層を有する記録媒体に印字を行う、プラテンローラとサーマルヘッドを有するエンジン部を備える印刷装置に前記記録媒体への印字を行わせるためのプログラムであって、前記エンジン部に、前記プラテンローラによって搬送される前記記録媒体の搬送方向に対して一定の間隔で前記記録媒体に設けられたマークが搬送経路上の所定の位置を通過したことを検出させ、所定期間内に前記エンジン部で検出した前記マークの数に基づいて、印字データに応じた印字を行う前記サーマルヘッドを有する前記エンジン部への前記印字データの送出タイミングを決定して、決定した前記送出タイミングで前記印字データを前記エンジン部へ送出する処理をコンピュータに実行させるプログラムを提供する。
【発明の効果】
【００１４】
本発明によれば、ラベルの裏面に粘着層を有する記録紙（記録媒体）にサーマルヘッドで歪みのない印字を行うことができる。
【図面の簡単な説明】
【００１５】
【図１】本発明の一実施形態に係るラベルプリンタの構成を示した図である。
【図２】本発明の一実施形態に係るラベルプリンタで用いられるラベル紙の構成を示した図である。
【図３】本発明の一実施形態に係るラベルプリンタのコントローラ部の構成を示した図である。
【図４】本発明の一実施形態に係るラベルプリンタで行われる処理のフローチャートである。
【図５】本発明の一実施形態に係るラベルプリンタのプラテンローラに対してラベル紙が滑る事象について説明するための図である。
【図６】本発明の一実施形態に係るラベルプリンタで用いられる別のラベル紙の構成を示した図である。
【発明を実施するための形態】
【００１６】
図１は、本発明の一実施形態に係るラベルプリンタ１の構成を示した図である。図２は、本発明の一実施形態に係るラベルプリンタ１で用いられるラベル紙２の構成を示した図である。なお、図２（ａ）、図２（ｂ）、図２（ｃ）は、それぞれ、ラベル紙２の上面図、側面図、底面図である。図３は、本発明の一実施形態に係るラベルプリンタ１のコントローラ部２０の構成を示した図である。以下、図１から図３を参照しながら、ラベルプリンタ１の構成について説明する。
【００１７】
図１に示すラベルプリンタ１は、パーソナルコンピュータなどの図示しないホスト機器からの指示に従って、図２に示すラベルＬ１の裏面に粘着層Ｌ２を有する記録媒体であるラベル紙２に印字を行うラベル印刷装置である。ラベル紙２は、粘着層Ｌ２を保護する剥離紙を有しないタイプのラベル紙である。ラベルＬ１の裏面には、ラベル紙２の長手方向（搬送方向Ｆ）に対して一定の間隔でマークＭが施されていて、粘着層Ｌ２は、図２（ｃ）に示すように、粘着層Ｌ２を介してマークＭを確認することができるように光を透過させる材料によって形成されている。
【００１８】
ラベルプリンタ１は、図１に示すように、ラベル紙２に対して印字処理を行う機構部分であるエンジン部１０と、ホスト機器からの指示を受け付けてエンジン部１０の動作を制御するコントローラ部２０と、を有している。
【００１９】
エンジン部１０は、ラベル紙２を搬送するプラテンローラ１１と、プラテンローラ１１を回転させるモータ１２を有している。エンジン部１０では、コントローラ部２０からの指示に従って駆動部であるモータ１２が回転すると、ギア１４と噛み合っているプラテンローラ１１の回転軸にウォームギア１３及びギア１４を介して回転力が伝達される。その結果、予めラベル紙２が掛け渡されているプラテンローラ１１が回転し、ロール状に巻き取られてロール紙ホルダ１９に支持されているラベル紙２がプラテンローラ１１によって搬送方向Ｆに搬送される。
【００２０】
エンジン部１０は、プラテンローラ１１により搬送されたラベル紙２を加熱することによりラベル紙２に印字を行う、複数の発熱素子が設けられたサーマルヘッド１５を有している。エンジン部１０では、コントローラ部２０から送出された印字データに従って複数の発熱素子が選択的に通電されて発熱することで、図示しない加圧スプリングによってラベル紙２に押し付けられたサーマルヘッド１５が、ラベル紙２に対して印字データに応じた印字を行う。
【００２１】
エンジン部１０は、フォトインタラプタ１６と回転ディスク１７とを有するロータリエンコーダを備えている。回転ディスク１７は、モータ１２の回転をギア１４に伝達するためのウォームギア１３に取り付けられていて、ウォームギア１３の回転（即ち、モータ１２の回転）に従って回転する。フォトインタラプタ１６は、ＬＥＤとＬＥＤからの光を検出する光検出器とを備えている。回転ディスク１７は、モータ１２が一定量回転する毎に、フォトインタラプタ１６を構成するＬＥＤと光検出器との間を回転ディスク１７の一部が通過するように構成されている。フォトインタラプタ１６は、モータ１２が一定量回転する毎に回転ディスク１７によってＬＥＤからの光が遮断されたことを検出し、コントローラ部２０へパルス信号を出力する。なお、エンジン部１０のロータリエンコーダは、フォトインタラプタ１６からのパルス信号の数とモータ１２の回転数が一定の関係にあることから、モータ１２の回転数を検出する回転数検出手段として機能している。
【００２２】
エンジン部１０は、さらに、ラベルＬ１の裏面に設けられたマークＭが搬送経路上の所定の位置を通過したことを検出するマーク検出手段として、発光素子と受光素子とを有する検出器１８を備えている。検出器１８の発光素子は、所定の位置に搬送されたラベル紙２に光を粘着層Ｌ２側から照射する。検出器１８の受光素子は、粘着層Ｌ２を透過してラベルＬ１の裏面で反射した光を検出する。検出器１８は、受光素子からの信号に基づいて、マークＭが搬送経路上の所定の位置を通過したことを検出し、コントローラ部２０へパルス信号を出力する。なお、ここで、所定の位置は、サーマルヘッド１５による印字が行われる印字位置近傍であることが望ましい。
【００２３】
コントローラ部２０は、ホスト機器からの印刷指示を受信すると、制御プログラムを実行して、ラベル紙２に印字が行われるようにエンジン部１０を制御する。コントローラ部２０は、制御プログラムを実行するための構成として、図３に示すように、ＣＰＵ２１、ＲＯＭ２２、ＲＡＭ２３、ＨＤＤ２４、光ディスクなどの可搬式の記録媒体２６が挿入される記録媒体駆動装置２５、及び入出力Ｉ／Ｆ２７を備えていて、これらはバス２８によって互いに接続されている。コントローラ部２０では、ＲＯＭ２２または記録媒体２６に格納されている制御プログラムがＲＡＭ２３にロードされてＣＰＵ２１によって実行されることにより、エンジン部１０が制御される。
【００２４】
以下、図４を参照しながら、ホスト機器からの印刷指示を受信したラベルプリンタ１が実行する印字処理について説明する。
まず、コントローラ部２０は、ホスト機器から印字データを受信し、受信した印字データをＲＡＭ２３またはＨＤＤ２４に記憶させる（ステップＳ１）。
次に、コントローラ部２０は、エンジン部１０を制御してモータ１２を回転させる（ステップＳ２）。
【００２５】
モータ１２が回転を開始すると、エンジン部１０の回転数検出手段であるロータリエンコーダは、モータ１２の回転数を検出してコントローラ部２０へ出力する（ステップＳ３）。より詳細には、モータ１２が所定量回転する毎に、ロータリエンコーダはコントローラ部２０へパルス信号を出力する。
【００２６】
ステップＳ３と並行して、エンジン部１０のマーク検出手段は、ラベル紙２の裏面に設けられたマークＭが搬送経路上の所定の位置を通過したことを検出し、マークＭが検出される毎にコントローラ部２０へパルス信号を出力する（ステップＳ４）。
【００２７】
コントローラ部２０は、所定期間内に回転数検出手段であるロータリエンコーダで検出した回転数と同じく所定期間内にマーク検出手段で検出したマークの数との比較結果に基づいて、ＲＡＭ２３またはＨＤＤ２４に記憶されている印字データをエンジン部１０に送出するタイミングを決定し（ステップＳ５）、決定した送出タイミングで印字データをエンジン部１０へ送出する。なお、ここで、所定期間とは、例えば、回転数検出手段で検出した回転数が所定の回転数となる期間である。また、所定期間は、マーク検出手段で検出したマークの数が所定の数となる期間であってもよい。
【００２８】
より詳細には、コントローラ部２０は、まず、所定期間内にロータリエンコーダから受信したパルス信号の数と同じく所定期間内にマーク検出手段から受信したパルス信号の数とを比較して、これらのパルス信号の数の比率が正規の比率にあるか否かを判断する。なお、ここで、正規の比率とは、搬送予定量と実際の搬送量とが一致している場合の比率のことであり、ラベル紙２がプラテンローラ１１に対して滑ることなく搬送されている場合に得られる比率である。
【００２９】
そして、正規の比率に有ると判断した場合には、印字データの送出タイミングをモータ１２の回転数に対応して予め設定されている送出タイミングに決定する。一方、正規の比率にないと判断した場合には、所定期間内にロータリエンコーダで検出したパルス数（回転数）に対するその所定期間内にマーク検出手段で検出したパルス数（マークの数）の比率が正規の比率よりも小さいほど、エンジン部１０への印字データの送出タイミングを、モータ１２の回転数に対応して予め設定されている送出タイミングからより大きく遅延したタイミングに決定する。
【００３０】
例えば、ロータリエンコーダから２０パルスを受信する間にマーク検出手段から１０パルスを受信することで搬送予定量と実際の搬送量が一致するラベルプリンタ１で、ロータリエンコーダから２１パルスを受信する間にマーク検出手段から１０パルスを受信した場合であれば、搬送予定量に対して実際の搬送量が５％少ないことになるため、搬送予定量（モータ１２の回転数）に対応して予め設定されている送出タイミングを５％遅延させる。これにより、ラベル紙２の実際の搬送量に合ったタイミングで、印字データがエンジン部１０へ送出される。即ち、コントローラ部２０は、ラベル紙の搬送予定量に対する搬送量の変化（減少）の割合と同じ割合で、印字データの送出タイミングを変化（遅延）させる。
【００３１】
その後、コントローラ部２０は、ＲＡＭ２３またはＨＤＤ２４に記憶されている印字データを読み出して、決定した送出タイミングで読み出した印字データをエンジン部１０へ送出する。
【００３２】
最後に、コントローラ部２０によって送出された印字データを受信したエンジン部１０は、受信した印字データに従ってラベル紙２に印字を行い（ステップＳ６）、その後、図４に示す処理が終了する。
【００３３】
ラベルプリンタ１は、粘着層Ｌ２を有するラベル紙２に対してサーマルヘッド１５によって印字を行うが、このようなプリンタは他のプリンタに比べて、搬送予定量と実際の搬送量との乖離が大きくなりやすい。これは、サーマルヘッド１５に設けられた発熱素子からの熱がプラテンローラ１１に蓄積されることでプラテンローラ１１の温度が上昇し、その結果、プラテンローラ１１から粘着層Ｌ２に熱が伝わって粘着層Ｌ２が柔らかくなることが一要因である。粘着層Ｌ２が柔らかくなると、図５に示すように、プラテンローラ１１の回転に伴って粘着層Ｌ２が大きく変形してしまうため、プラテンローラ１１に対してラベル紙２が滑りやすくなるからである。
【００３４】
しかしながら、ラベルプリンタ１では、図４に示す処理が行われることで、ラベル紙２の実際の搬送量がモータ１２の回転数から算出される予定搬送量と一致していない場合であっても、実際の搬送量に合せて印字データの送出タイミングが調整される。このため、ラベルプリンタ１によれば、ラベル紙２に歪みのない印字を行うことができる。従って、丸い形状のマークを印字する場合に楕円形状のマークが印字されてしまうといった事態を回避することができる。
【００３５】
また、ラベルプリンタ１では、ラベル紙２の実際の搬送量と予定搬送量とのずれに起因する印字結果の歪みを、印字データの送出タイミングを調整することによって抑制する。印字データの送出タイミングの調整による印字位置の制御は、ロータリエンコーダ等の性能によって調整精度が左右されてしまうモータ１２の回転数（ラベル紙２の搬送量）の調整による印字位置の制御に比べて、一般に高精度な制御が可能である。従って、ラベルプリンタ１によれば、ラベル紙２に対して歪みのない印字を確実に実現することができる。
【００３６】
さらに、ラベル紙２の滑りやすさは、様々な条件（例えば、プラテンローラ１１の温度やラベル紙２の粘着層Ｌ２の厚さなど）によって変化するため、実際の搬送量を推定することは極めて難しい。これに対して、ラベルプリンタ１では、印字データの送出タイミングを、実際に測定した搬送量（検出したマークの数）に基づいて調整する。従って、ラベルプリンタ１によれば、測定によって得られた確実な情報に基づいて印字データの送出タイミングが調整されるため、ラベル紙２に対して歪みのない印字を確実に実現することができる。
【００３７】
上述した実施形態は、発明の理解を容易にするために本発明の具体例を示したものであり、本発明はこの実施形態に限定されるものではない。ラベル印刷装置、印字方法、及びプログラムは、特許請求の範囲に規定された本発明の思想を逸脱しない範囲において、さまざまな変形、変更が可能である。
【００３８】
例えば、ラベルＬ１の裏面にマークＭが設けられている例を示したが、マークＭはラベルＬ１の側面に設けられていても良い。また、例えば、ラベルＬ１の裏面に粘着層Ｌ２を有するラベル紙として、図２に示すラベル紙２を例示したいが、ラベルプリンタ１は、ラベル紙２の代わりに図６に示すラベル紙３が用いられてもよい。なお、図６（ａ）、図６（ｂ）、図６（ｃ）は、ラベル紙３の上面図、側面図、底面図である。ラベル紙３は、粘着層Ｌ２を保護する剥離紙Ｌ３が設けられている点、マークＭがラベルＬ１の裏面ではなく剥離紙Ｌ３の表面（粘着層Ｌ２と接していない面）に設けられている点が異なっている。ラベル紙３が使用される場合でも、ラベルプリンタ１では、熱の影響で粘着層Ｌ２が柔らかくなり、ラベル紙３が変形しやすくなる。その結果、ラベル紙３がプラテンローラ１１に対して滑りやすくなる。
【００３９】
また、図４では、ステップＳ３でモータ１２の回転数を検出する例を示したが、予め特定の回転数でモータ１２が動作するように設定されている場合であれば、モータ１２の回転数の検出を省略してもよい。この場合、コントローラ部２０は、モータ１２の回転数は既知であるので、所定期間内に検出器１８で検出したマークＭの数に基づいて、エンジン部１０への印字データの送出タイミングを決定することができる。
【００４０】
以下、本願の出願当初の特許請求の範囲に記載された発明を付記する。
［付記１］
ラベルの裏面に粘着層を有する記録媒体に印字を行う印刷装置であって、
前記記録媒体を搬送するプラテンローラと、
前記プラテンローラを回転させる駆動部と、
前記プラテンローラにより搬送された前記記録媒体を加熱することにより前記記録媒体に印字データに応じた印字を行うサーマルヘッドと、
前記記録媒体の搬送方向に対して一定の間隔で前記記録媒体に設けられたマークが搬送経路上の所定の位置を通過したことを検出するマーク検出手段と、を有するエンジン部と、
所定期間内に前記マーク検出手段で検出した前記マークの数に基づいて、前記エンジン部への前記印字データの送出タイミングを決定し、決定した前記送出タイミングで前記印字データを前記エンジン部へ送出するコントローラ部と、を備える
ことを特徴とする印刷装置。
【００４１】
［付記２］
付記１に記載の印刷装置において、
前記エンジン部は、さらに、前記駆動部の回転数を検出する回転数検出手段を有し、
前記コントローラ部は、前記回転数検出手段で検出した回転数が所定の回転数となる期間を前記所定期間とし、該所定期間内に前記マーク検出手段で検出した前記マークの数との比較結果に基づいて、前記エンジン部への前記印字データの送出タイミングを決定する
ことを特徴とする印刷装置。
【００４２】
［付記３］
付記２に記載の印刷装置において、
前記コントローラ部は、前記所定期間内に前記回転数検出手段で検出した回転数に対する前記所定期間内に前記マーク検出手段で検出した前記マークの数の比率が正規の比率よりも小さいとき、前記エンジン部への前記印字データの送出タイミングを、前記回転数に対応して予め設定されている送出タイミングよりも遅延したタイミングに決定する
ことを特徴とする印刷装置。
【００４３】
［付記４］
付記１乃至付記３のいずれか１つに記載の印刷装置において、
前記プラテンローラは、前記粘着層が該プラテンローラに接触した状態で、前記記録媒体を搬送する
ことを特徴とする印刷装置。
【００４４】
［付記５］
付記１乃至付記４のいずれか１つに記載の印刷装置において、
前記印刷装置は、前記粘着層を保護する剥離紙を有しない前記粘着層が露出した前記記録媒体に印字を行う
ことを特徴とする印刷装置。
【００４５】
［付記６］
ラベルの裏面に粘着層を有する記録媒体に印字を行う、プラテンローラとサーマルヘッドを有するエンジン部を備える印刷装置による前記記録媒体への印字方法であって、
前記プラテンローラによって搬送される前記記録媒体の搬送方向に対して一定の間隔で前記記録媒体に設けられたマークが搬送経路上の所定の位置を通過したことを検出し、
所定期間内に検出した前記マークの数に基づいて、印字データに応じた印字を行う前記サーマルヘッドを有する前記エンジン部への前記印字データの送出タイミングを決定して、決定した前記送出タイミングで前記印字データを前記エンジン部へ送出する
ことを特徴とする印字方法。
【００４６】
［付記７］
ラベルの裏面に粘着層を有する記録媒体に印字を行う、プラテンローラとサーマルヘッドを有するエンジン部を備える印刷装置に前記記録媒体への印字を行わせるためのプログラムであって、
前記エンジン部に、前記プラテンローラによって搬送される前記記録媒体の搬送方向に対して一定の間隔で前記記録媒体に設けられたマークが搬送経路上の所定の位置を通過したことを検出させ、
所定期間内に前記エンジン部で検出した前記マークの数に基づいて、印字データに応じた印字を行う前記サーマルヘッドを有する前記エンジン部への前記印字データの送出タイミングを決定して、決定した前記送出タイミングで前記印字データを前記エンジン部へ送出する
処理をコンピュータに実行させることを特徴とするプログラム。
【符号の説明】
【００４７】
１          ラベルプリンタ
２、３      ラベル紙
１０        エンジン部
１５        サーマルヘッド
１１        プラテンローラ
１２        モータ
１３        ウォームギア
１４        ギア
１６        フォトインタラプタ
１７        回転ディスク
１８        検出器
１９        ロール紙ホルダ
２０        コントローラ部
２１        ＣＰＵ
２２        ＲＯＭ
２３        ＲＡＭ
２４        ＨＤＤ
２５        記録媒体駆動装置
２６        記録媒体
２７        入出力Ｉ／Ｆ
２８        バス
Ｌ１        ラベル
Ｌ２        粘着層
Ｌ３        剥離紙
Ｍ          マーク
【図３】
2015044331.tif 000003
【図４】
2015044331.tif 000004
【図１】
2015044331.tif 000005
【図２】
2015044331.tif 000006
【図５】
2015044331.tif 000007
【図６】
2015044331.tif 000008